(57)【要約】【課題】播種作業の効率化をはかる。【解決手段】車輪の車軸上にカム車を設け、透明材によりホッパーを形成して種子を収納するとともにホッパー下端を円錐状に窄め、播種する種子の大きさに応じた内径を有する種子通過リングを前記ホッパー下端に着脱自在に装着し、この種子通過リングから水平方向に適間隔をおいた下方に案内管を配設し、中央部分に種子通過リングの内径よりも大径の種子収納透孔を有するスライダを種子通過リングの下側と案内管の上端の間に水平方向摺動自在に支持し、スライダの前端部にカム車のカム面に当接するカムフォロアを設け、スライダをカム面方向に付勢することにより、車輪の回転に連動してスライダを往復移動させ、一定間隔で播種する。【選択図】  図２
2004261096.tif 000002
【特許請求の範囲】
【請求項１】
畝を跨ぐ間隔で車体の左右に配設された車輪と、
この車輪の車軸上に設けられたカム車と、
透明材により形成されて種子を収納するとともに下端が円錐状に窄められたホッパーと、
播種する種子の大きさに応じた内径を有し前記ホッパー下端に着脱自在に装着される種子通過リングと、
この種子通過リングから水平方向に適間隔をおいて下方に配設された案内管と、
中央部分に前記種子通過リングの内径よりも大径の種子収納透孔を有し前記種子通過リングの下側と前記案内管の上端の間に水平方向摺動自在に支持されたスライダと、
このスライダをその下面の前記種子通過リング位置から前記案内管上端手前までの間を支持する支持台と、
前記スライダの前端部に設けられ前記カム車のカム面に当接するカムフォロアと、
前記スライダをカム面方向に付勢する付勢手段と、
を備えたことを特徴とする播種機。
【請求項２】
請求項１に記載の播種機において、
車体後方に延設されたハンドルと、
このハンドルに回動自在に枢支されたレバーと、
このレバーの回動動作を前記スライダの後端に伝達する伝達機構と、
を備えたことを特徴とする播種機。
【請求項３】
請求項１または２に記載の播種機において、
左右いずれかの車輪または両方の車輪の前方位置に配設された前輪と、
車体前下部の種子落下位置延長線上に設けられ播種面を平坦にならすまたはかきおこす土かき板と、
車体後下部の種子落下位置後方の両側に設けられ播種された種子上に土を寄せる土かき板と、
を備えたことを特徴とする播種機。
【請求項４】
請求項１乃至３のいずれかに記載の播種機において、
前記カム車を２分割構造として車軸への着脱交換を可能にしたことを特徴とする播種機。
【請求項５】
請求項１乃至４のいずれかに記載の播種機において、
前記左右の車輪を連結する車軸上にフリーホイールを設けたことを特徴とする播種機。
【発明の詳細な説明】
【０００１】
【発明の属する技術分野】
本発明は、畝の中央部分に一定間隔で播種する際に使用する播種機に関する。
【０００２】
【従来の技術】
従来、車両が走行しながら種を蒔く装置として「種蒔き装置を有する自走式路肩盛土成形機」（特許文献１および特許文献２参照。）がある。これは、道路の路肩に盛土を形成しながら種を蒔くことができる装置である。
【０００３】
【特許文献１】
特開平５−３３１８０６号公報
【特許文献２】
特開平６−２２０８１３号公報
【０００４】
【発明が解決しようとする課題】
しかしながら、上述の「種蒔き装置を有する自走式路肩盛土成形機」は、道路の路肩に芝草の種を蒔く装置であって、畑に種を蒔く場合に使用することができないという課題があった。そこで、本発明は、畑に種を蒔く場合に使用することができて、使い勝手にすぐれた播種機を提案することを目的とした。
【０００５】
【課題を解決するための手段】
上記課題を解決するために、請求項１の発明は、畝を跨ぐ間隔で車体の左右に配設された車輪と、この車輪の車軸上に設けられたカム車と、透明材により形成されて種子を収納するとともに下端が円錐状に窄められたホッパーと、播種する種子の大きさに応じた内径を有し前記ホッパー下端に着脱自在に装着される種子通過リングと、この種子通過リングから水平方向に適間隔をおいて下方に配設された案内管と、中央部分に前記種子通過リングの内径よりも大径の種子収納透孔を有し前記種子通過リングの下側と前記案内管の上端の間に水平方向摺動自在に支持されたスライダと、このスライダをその下面の前記種子通過リング位置から前記案内管上端手前までの間を支持する支持台と、前記スライダの前端部に設けられ前記カム車のカム面に当接するカムフォロアと、前記スライダをカム面方向に付勢する付勢手段とを備えたことを特徴とする。
【０００６】
請求項２の発明は、請求項１の発明において、車体後方に延設されたハンドルと、このハンドルに回動自在に枢支されたレバーと、このレバーの回動動作を前記スライダの後端に伝達する伝達機構とを備え、前記レバーを引くと前記伝達機構を介してスライダが後退し、車輪が回転してもスライダは停止したままで種子が落下しないようにしたことを特徴とする。
【０００７】
請求項３の発明は、請求項１または２の発明において、左右いずれかの車輪または両方の車輪の前方位置に配設された前輪と、車体前下部の種子落下位置延長線上に設けられ播種面を平坦にならすまたはかきおこす土かき板と、車体後下部の種子落下位置後方の両側に設けられ播種された種子上に土を寄せる土かき板とを備えたことを特徴とする。
【０００８】
請求項４の発明は、請求項１乃至３のいずれかの発明において、前記カム車を２分割構造として車軸への着脱交換を可能にしたことを特徴とする。
【０００９】
請求項５の発明は、請求項１乃至４のいずれかの発明において、前記左右の車輪を連結する車軸上にフリーホイールを設けたことを特徴とする。
【００１０】
【発明の実施の形態】
以下、図に基づいて本発明の実施形態を説明する。
図１は本発明に係る播種機の平面図であり、図２は図１の縦断面図である。図において、１は車体であり、その両側に畝を跨ぐ間隔で車輪２，３が取り付けられている。車体１の後方にはハンドル４が延設され、その端部に方向転換等の際に播種を停止するために使用されるレバー５が枢支されている。右側の車輪３の前方には、前輪６が配設されている。なお、この前輪６は、左側の車輪２の前方に配設することも可能であり、あるいは両側に設置することも可能である。
【００１１】
車体１の内側には後述する播種機構部が搭載され、車体１の前下部の幅方向の中心位置には、播種面を平坦にならすまたはかきおこすヘの字状の土かき板７が高さを調整自在に支持されている。同様に、車体１の後下部の幅方向の中心位置の両側に、逆ヘの字状の土かき板８が高さを調整自在に支持されている。この土かき板８は、播種された種子の上に土を寄せてかぶせるためのものである。車輪２，３の車軸９は、ベアリングユニット１１，１２を介して車体１に支持され、車軸９の中央位置にカム車１３が着脱自在に取り付けられている。カム車１３は二分割構造により構成され、外周に外周を６等分するカム曲面が形成されている。車軸９と車輪２の接続部には、フリーホイール１４が取り付けられ、播種機が畝を移る場合の方向転換を可能にしている。
【００１２】
図３は、車体１の内側に搭載された播種機構部の立面図であり、図４は図３の平面図である。図において、２１は透明材からなるホッパーであり、内部に種子が収納される。ホッパー２１の下部は円錐状に窄まり、その下端の下方に種子通過リング２２が着脱自在に装着されている。種子通過リング２２には、図５に示されるように、中心部に円錐状の孔２２ａが穿たれ、ホッパー２１から下方へ通過する種子の個数を制限するように構成されている。この種子通過リング２２は孔２２ａの径の異なるものを複数個用意しておき、播種する種子の粒径および１回に播種する種子数に応じて使い分けるようにする。
【００１３】
種子通過リング２２の下方には、種子通過リング２２を通過して落下した種子を収納する透孔２３を有するスライダ２４が、水平方向に摺動自在に支持台２５上に支持されている。この透孔２３は、種子通過リング２２の孔２２ａよりも大径である。支持台２５の種子通過リング２２の位置から後方（図の左方向）に適間隔を隔てた位置に、透孔２６が穿たれ、それに接続するように支持台２５の下面に案内管２７が接続されている。スライダ２４が右方向に前進した位置で、透孔２３が種子通過リング２２に一致し、スライダ２４が左方向に後退した位置で、透孔２３が透孔２６に一致する。支持台２５の右側前端にはカムフォロア２８が取り付けられ、カム車１３の外周カム面に当接している。スライダ２４の左側後端上面には、後方にロッド２９が延設され、このロッド２９にコイルばね３１が装着されてスライダ２４を前方向に付勢している。また、ロッド２９の右端にはワイヤ３２が接続され、このワイヤ３２はプーリー３３を介してガイド管３４内を通り、他端がハンドル４のレバー５に接続されている。
【００１４】
図６および図７は、ワイヤ３２とガイド管３４の配置を示す図である。ワイヤ３２とガイド管３４は、レバー５の部分からハンドル４および車体１の左側を経て播種機構部に配置されている。
【００１５】
図８および図９は、播種機構部の動作を示す説明図である。図８は、カムフォロア２８が、カム車１３の外周カム面に当接して前進した状態を示し、支持台２５の上をスライダ２４が前進し、スライダ２４の透孔２３がホッパー２１の下端の種子通過リング２２の位置となる。この状態で、ホッパー２１の種子が種子通過リング２２を通過して、一定個数、透孔２３内に落下する。次いで、カム車１３が車輪２，３の回転とともに回転し、カムフォロア２８が後退すると、図９に示すように、種子を収納した状態のスライダ２４の透孔２３も後退して、支持台２５の透孔２６に達する。ここで、透孔２３内の種子は透孔２６に落下し、案内管２７を通過して地面に到達する。次に、スライダ２４は、コイルばね３１により前方に付勢されているため、カム車１３の外周カム面の後退とともに、前進して図８の位置に戻り次の種子が透孔２３に落下して、播種動作を繰り返す。
【００１６】
なお、播種機が畝を移る場合等に、播種を中断しようとするときは、ハンドル４のレバー５を引くと、その動作がワイヤ３２を介して、スライダ２４に伝達され、カムフォロア２８の位置に関係なく強制的にスライダ２４が後方に移動してその位置を保つことにより、播種動作を中断する。この状態から播種を再開する場合は、レバー５を戻すと、コイルばね３１の復元力によりスライダ２４が前進し、車体１の前進とともに播種動作が再開される。
【００１７】
また、案内管２７を通過して種子が落下する地面は、車体１の前部に設けられた土かき板７により平坦にならされたりまたはかきおこされる。そこへ、種子が落下した後、車体１の後部に設けられた土かき板８により、種子の上に土がかけられる。それにより、人手による先に地面をならすまたはかきおこす作業と、後に土をかける作業が不要となる。
さらに、播種間隔は、車輪２，３の径と、カム車１３のカム数によって決まるので、カム数の異なる複数のカム車を用意しておき、播種間隔に応じた最適のカム車を選んで、車軸９に取り付けるようにする。
また、車軸９と車輪２の接続部に、フリーホイール１４を取り付けたことで、播種機が畝を移る場合等の方向転換が容易になる。
【００１８】
【発明の効果】
以上述べたように本発明の播種機によれば、車体の前進とともに左右の車輪が回転すると車軸上に設けられたカム車が回転しスライダが前後動する。スライダが前進した位置で、ホッパー内の種子が種子通過リングを通過し、スライダ内の種子収納透孔内に落下する。次いで、スライダが後退し案内管の上端に達すると、種子収納透孔内の種子が案内管内に落下し、地面に落ちる。スライダは車輪の回転に連動して往復動するため、一定間隔で確実に播種することができる。また、種子通過リングについては、種子の大きさと一回に播種する個数に応じて異なる内径のものを複数個用意しておき交換することで複数種類の種子に対応可能である。
【００１９】
また、ハンドルにレバーを設けたことで、播種機が方向転換する場合は、レバーを引き伝達機構を介してスライダを後方に保持して往復動を停止させておくことで、種子の落下を停止させることが可能となる。
【００２０】
さらに、車体の前後にそれぞれ土かき板を設けたことで、前方の土かき板により播種面が平坦にならされまたはかきおこされ、その上に播種され、さらに後方の土かき板により種子上に土がかけられる。その結果、人手による先に地面をならすまたはかきおこす作業と、後に土をかける作業が不要となる。
【００２１】
またさらに、カム車を２分割構造として車軸への着脱交換を可能にしたことでカム数の異なるカム車を複数個用意しておき、播種間隔に応じてカム車を交換することが可能となる。
【００２２】
また、左右の車輪を連結する車軸上にフリーホイールを設けたことで、次の畝に移るときの播種機の方向転換が容易となる。
【図面の簡単な説明】
【図１】本発明に係る播種機の実施形態の平面図である。
【図２】図１の縦断面図である。
【図３】車体の内側に搭載された播種機構部の立面図である。
【図４】図３の平面図である。
【図５】種子通過リングを示す断面図および外観図である。
【図６】ワイヤとガイド管の配置を示す図である。
【図７】ワイヤとガイド管の配置を示す図である。
【図８】播種機構部の動作を示す説明図である。
【図９】播種機構部の動作を示す説明図である。
【符号の説明】
１  車体
２，３  車輪
４  ハンドル
５  レバー
６  前輪
７，８  土かき板
９  車軸
１１，１２  ベアリングユニット
１３  カム車
１４  フリーホイール
２１  ホッパー
２２  種子通過リング
２２ａ  円錐状の孔
２３  透孔
２４  スライダ
２５  支持台
２６  透孔
２７  案内管
２８  カムフォロア
２９  ロッド
３１  コイルばね
３２  ワイヤ
３３  プーリー
３４  ガイド管
【図１】
2004261096.tif 000003
【図２】
2004261096.tif 000004
【図３】
2004261096.tif 000005
【図４】
2004261096.tif 000006
【図５】
2004261096.tif 000007
【図６】
2004261096.tif 000008
【図７】
2004261096.tif 000009
【図８】
2004261096.tif 000010
【図９】
2004261096.tif 000011